(57)【要約】【課題】棚板に物を載置することができるとともに、棚板を取り付けた状態のまま両脚部の下端を閉じることができ、さらにその状態で棚板が邪魔にならずに移動等の取扱いが容易となる上に省スペース化を図ることができる折りたたみ椅子を提供する。【解決手段】折りたたみ椅子10を折りたたんだ状態とした際には、棚板50は折りたためられ又は倒されることでメインフレーム30及びサブフレーム40の少なくとも一方の枠内に位置するように形成され、折りたたみ椅子10を使用可能な状態とした際には、棚板50はメインフレーム30及びサブフレーム40の間に懸架されて棚として使用可能に形成されていることを特徴とする。【選択図】図１
2013116278.tif 000002
【特許請求の範囲】
【請求項１】
四角枠型又は四角ドーム状に形成され、上部を背もたれとして使用し、下部を脚部として使用するメインフレームと、
逆門型に形成され、前記メインフレームの途中に上部両側が直接又は連結板を介して軸支されるとともに、下部を脚部として使用するサブフレームと、
前記メインフレーム及び前記サブフレームに直接又は支持板を介して軸支された座部とを少なくとも備え、
前記メインフレーム及び前記サブフレームには、前記座部を直接又は前記支持板を介して軸支する座部軸支部が形成され、
前記両脚部の下端を開いた状態とすることで椅子として使用可能な状態とし、前記脚部の下端を閉じることで椅子を折りたたんだ状態とする折りたたみ可能な折りたたみ椅子において、
前記メインフレーム又は前記サブフレームのいずれか一方の前記座部軸支部より下方側に軸支されるとともに、前記メインフレーム又は前記サブフレームの他方の前記座部軸支部より下方側に軸支又は支持される棚板を備え、
前記折りたたみ椅子を折りたたんだ状態とした際には、前記棚板は折りたたまれ又は上方に揺動することで前記メインフレーム及び前記サブフレームの少なくとも一方の枠内に位置するように形成され、
前記折りたたみ椅子を使用可能な状態とした際には、前記棚板は前記座部の下方で前記メインフレーム及び前記サブフレームの間に懸架されて棚として使用可能に形成されていることを特徴とする折りたたみ椅子。
【請求項２】
前記棚板には、前記メインフレームに軸支される棚板メイン軸と、前記サブフレームに軸支される棚板サブ軸とが形成され、
前記棚板は、前記棚板メイン軸と前記棚板サブ軸の間で２つに分割されるとともに、その分割された棚板同士の継ぎ目部分にはその分割された棚板同士を軸支する折れ曲がり可能部が形成され、
前記棚板には、前記折り曲がり可能部から上方に向かって折れ曲がる折れ曲がり可能手段が形成され、
前記折りたたみ椅子を折りたたんだ状態とした際には、前記棚板は前記折れ曲がり可能手段により前記折り曲がり可能部から上方に折りたためられて前記メインフレーム及び前記サブフレームの枠内に位置するように形成されていることを特徴とする請求項１記載の折りたたみ椅子。
【請求項３】
前記折れ曲がり可能手段には、前記脚部の下端を閉じる際、前記折れ曲がり可能部が上方に向かって折れ曲がるように付勢する付勢手段が形成されていることを特徴とする請求項２記載の折りたたみ椅子。
【請求項４】
前記棚板は、前記棚板を軸支した前記メインフレーム又は前記サブフレームから他の前記サブフレーム又は前記メインフレームに軸支又は支持されることで前記サブフレームと前記メインフレームとの間の構造体として機能することを特徴とする請求項１から３までのいずれか１項に記載の折りたたみ椅子。
【請求項５】
前記折りたたみ椅子を使用可能な状態とした際の前記棚板から上方に相当する位置の後方側の前記サブフレームに、前記棚板においた物品の後方からの取り出しを阻止する、あるいは前記位置の前方側の前記メインフレームに前記棚板に置いた物品の前方からの取り出しを阻止する阻止部材が形成されていることを特徴とする請求項１から４までのいずれか１項に記載の折りたた椅子。
【請求項６】
前記棚板には、前記折りたたみ椅子を使用可能状態とした際に前記メインフレーム前方に突出する突出部が形成されていることを特徴とする請求項１から５までのいずれか１項に記載の折りたたみ椅子。
【請求項７】
請求項１から６までのいずれか１項に記載された折りたたみ椅子に取付可能な棚板。
【発明の詳細な説明】
【技術分野】
【０００１】
本発明は、折りたたみ椅子に関し、特に物を収納可能な棚板を有する折りたたみ椅子及びその折りたたみ椅子に使用可能な棚板に関する。
【背景技術】
【０００２】
従来、屋内外で行われる集会、会議、コンサート等では、座席として椅子が用意されているが、バッグ等の手荷物や、冬場におけるコートやマフラー等の脱いだ衣類は、置き場が用意されていない場合が多かった。それらを足下の床に直接、置くと手荷物や衣類が汚れてしまい、また足下のスペースが無くなって途中での移動の障害ともなる。また、膝の上に置いても不便となることが多かった。
これらの不便を解消しようと物を収納可能な椅子が提案されている。物をその上に載置可能な棚を座板の下につり下げるものが提案されている（たとえば、特許文献１や特許文献２。）。
【０００３】
また、特許文献３のように、物を収納するための布や網を脚に取り付ける椅子が提案されている。
【先行技術文献】
【特許文献】
【０００４】
【特許文献１】特願２０１１−６２３８４号公報
【特許文献２】特願２００５−３３４４０７号公報
【特許文献３】実用新案登録第３１２３４９５号公報
【発明の概要】
【発明が解決しようとする課題】
【０００５】
しかし、特許文献１及び２に記載された釣り下げタイプの棚を有する椅子は、両脚部を閉じるような折りたたみ椅子にそのまま適用すると、棚を有する状態では椅子の両脚部を閉じて折りたたむことができない。椅子を折りたたむ際には棚を取り外すようにしてもよいが面倒であり、再度、椅子として使用するときにはまた棚を取り付けなければならず、不便であり実用的ではない。
また、特許文献３に記載された従来技術は、伸縮自在の布や網を棚として用いることにより折りたたみ椅子にも対応することができるが、折りたたみ椅子を折りたたんだ状態で布や網等が垂れ下がったりあるいは下方にずり下がったりする場合がある。そのようになると、屋外の使用では布や網が地面に触れて汚れてしまい、洋服や物の収納に適さなくなる。さらに移動や収納の際、垂れ下がった布や網に他の椅子の脚部が引っかかる等の不都合が発生する。
【０００６】
請求項１記載の発明は、上記した従来の技術の有する問題点に鑑みてなされたものであり、棚板に物を載置することができるとともに、棚板を取り付けた状態のまま両脚部の下端を閉じることができ、さらにその状態で棚板が邪魔にならずに移動等の取扱いが容易となる上に省スペース化を図ることができる折りたたみ椅子を提供することを目的とする。
請求項２記載の発明は、上記した請求項１記載の発明の目的に加え、棚板を折りたたむことができて、メインフレーム等の枠内の狭いスペースに棚板を収納することが可能な折りたたみ椅子を提供することを目的とする。
請求項３記載の発明は、上記した請求項２記載の発明の目的に加え、折りたたみ椅子を折りたたむ際、スムーズに脚部の下端を閉じることができて、折りたたみ作業が簡単な折りたたみ椅子を提供することを目的とする。
【０００７】
請求項４記載の発明は、上記した請求項１から３までのいずれか１項に記載の発明の目的に加え、両脚部の下端を開いた状態での剛性を高めることができ、大きな荷重に対しても変形や曲げを抑えることができ信頼性の高い、安定した座り心地の折りたたみ椅子を提供することができる折りたたみ椅子を提供することを目的とする。
請求項５記載の発明は、上記した請求項１から４までのいずれか１項に記載の発明の目的に加え、棚板の上に載置した荷物の脱落防止の対策となるとともに、その荷物が後方又は前方から盗まれることが防止され、防犯上、安全な折りたたみ椅子を提供することを目的とする。
【０００８】
請求項６記載の発明は、上記した請求項１から５までのいずれか１項に記載の発明の目的に加え、座っている人が足置きとして使用可能な突出部を有する折りたたみ椅子を提供することを目的とする。
請求項７記載の発明は、請求項１から６までのいずれか１項に記載された折りたたみ椅子の棚板を提供することを目的とする。
【課題を解決するための手段】
【０００９】
（請求項１）
請求項１記載の発明に係る折りたたみ椅子は、四角枠型又は四角ドーム状に形成され、上部を背もたれとして使用し、下部を脚部20として使用するメインフレーム30と、逆門型に形成され、前記メインフレーム30の途中に上部両側が軸支されるとともに、下部を脚部20として使用するサブフレーム40と、前記メインフレーム30及び前記サブフレーム40に軸支され、人が座るための座部110とを少なくとも備え、前記両脚部20の下端を開いた状態とすることで椅子として使用可能な状態とし、前記脚部20の下端を閉じることで椅子を折りたたんだ状態とする折りたたみ可能な折りたたみ椅子10において、前記メインフレーム30又は前記サブフレーム40のいずれか一方に軸支されるとともに、前記メインフレーム30又は前記サブフレーム40の他方の前記座部110の下方に軸支又は支持される棚板50を備え、前記折りたたみ椅子10を折りたたんだ状態とした際には、前記棚板50は折りたためられ又は倒されることで前記メインフレーム30及び前記サブフレーム40の少なくとも一方の枠内に位置するように形成され、前記折りたたみ椅子10を使用可能な状態とした際には、前記棚板50は前記メインフレーム30及び前記サブフレーム40の間に懸架されて棚として使用可能に形成されていることを特徴とする。
【００１０】
本発明は、折りたたみ椅子10の座部110の下方に物を載置することができる棚板50が形成される。これにより、バッグ等の手荷物やコート等の衣類等を棚板50の上に置くことができ、床に置いて汚れることなく、また足下のスペースを確保することができる。
本発明は、折りたたみ椅子10の両脚部20の下端を閉じた状態とした際には、棚板50は折りたためられ又は倒されることでメインフレーム30又はサブフレーム40の少なくとも一方の枠内に位置する。これにより、両脚部20を折りたたんだ状態において、棚板50を前記枠内に収納することができる。
折りたたみ椅子10を使用可能状態とした際には、棚板50は、座部110の下方でメインフレーム30及びサブフレーム40の間に懸架されて棚として使用することができる。これにより、折りたたみ椅子10の両脚部20を折りたたむ前後で棚板50を取り外したり、取り付けたりする等の手間が不要である。また、枠内のスペースを棚板50の収納スペースとして利用しているため、折りたたみ椅子10を折りたたんで片付ける際の移動や並べて収納する際にも棚板50が邪魔になることがなく、そのような片付けの際の移動等の作業を容易にすることができる。棚板50を有するにも拘わらず折りたたんだ折りたたみ椅子を倉庫等に並べて収納する際には従来と同様のスペースで済み、スペースの有効利用を図ることができる。
【００１１】
（請求項２）
請求項２記載の発明は、上記した請求項１記載の発明の特徴点に加え、次の点を特徴とする。すなわち、前記棚板50は、その一端側が前記メインフレーム30又は前記サブフレーム40のいずれか一方に軸支されるとともに他端側が前記メインフレーム30又は前記サブフレーム40の他方に軸支されるように形成され、前記棚板50には、折れ曲がり可能部60から上方に向かって折れ曲がる折れ曲がり可能手段70が形成され、前記折りたたみ椅子10を折りたたんだ状態とした際には、前記棚板50は前記折れ曲がり可能手段70により前記折り曲がり可能部から上方に折りたためられて前記メインフレーム30及び前記サブフレーム40の枠内に位置するように形成されていることを特徴とする。
【００１２】
棚板50を折れ曲がり可能手段70により折れ曲がり可能部60から上方に向かって折り曲げることができる。これにより、メインフレーム30又はサブフレーム40の枠内が棚板50の大きさに比べて狭いスペースであっても、そのような枠内の狭いスペースに棚板50を収納することが可能となる。
（請求項３）
請求項３記載の発明は、上記した請求項２記載の発明の特徴点に加え、次の点を特徴とする。すなわち、前記折れ曲がり可能手段70には、前記脚部20の下端を閉じる際、前記折れ曲がり可能部60が上方に向かって折れ曲がるように付勢する付勢手段80が形成されていることを特徴とする。
【００１３】
脚部20の下端を閉じる際、付勢手段80により、折れ曲がり可能部60が上方に向かって折れ曲がる。これにより、折りたたみ椅子10を折りたたむ際、棚板50を容易に折りたため、スムーズに脚部20の下端を閉じることができる。具体的には、折りたたみ椅子10を上方に持ち上げて、脚部20を床の接触による拘束状態から自由な状態にするだけで、付勢手段80の付勢力と、メインフレーム30及びサブフレーム40の自重とにより、棚板50は折れ曲がり可能部60から上方に向かって折れ曲がるとともに、両脚部20の下端は自然に閉じる。これにより、折りたたみ椅子10の折りたたみ作業を簡単なものにすることができる。
（請求項４）
請求項４記載の発明は、上記した請求項１から３までのいずれか１項に記載の発明の特徴点に加え、次の点を特徴とする。すなわち、前記棚板50は、前記棚板50を軸支した前記メインフレーム30又は前記サブフレーム40から他の前記サブフレーム40又は前記メインフレーム30に軸支又は支持されることで前記サブフレーム40と前記メインフレーム30との間の構造体として機能することを特徴とする。
【００１４】
棚板50がサブフレーム40とメインフレーム30との間の構造体として機能する。すなわち、棚板50が、両脚部20を開いた状態のサブフレーム40及びメインフレーム30との間を連結する補強部材としての役割を有する。これにより、開いた状態の折りたたみ椅子10の剛性を高めることができ、大きな荷重に対しても変形や曲げを抑えることができ信頼性の高い折りたたみ椅子10にすることができるとともに、安定した座り心地を提供することができる。
（請求項５）
請求項５記載の発明は、上記した請求項１から４までのいずれか１項に記載の発明の特徴点に加え、次の点を特徴とする。すなわち、前記折りたたみ椅子10を使用可能な状態とした際の前記棚板50から上方に相当する位置の後方側に前記サブフレーム40に後方からの取り出しを阻止するあるいは前記位置の前方側に前記メインフレーム30に前方からの取り出しを阻止する阻止部材90が形成されていることを特徴とする。
【００１５】
折りたたみ椅子10を使用可能な状態とした際の棚板50から上方に相当する位置のサブフレーム40に阻止部材90が形成された場合、棚板50の上に載置した手荷物等を後方から取り出そうとしても、阻止部材90により後方からの取り出しが阻止される。この折りたたみ椅子10を使用している人の荷物が、当該折りたたみ椅子10の下部の棚板50の上に載置されるようなとき、棚板50の上に載置した荷物が後方に脱落することが防止されるとともに、その荷物が後方から盗まれることも防止され、安全性と防犯上の保安性が確保される。
また、折りたたみ椅子10を使用可能な状態とした際の棚板50から上方に相当する位置のメインフレーム30に阻止部材90が形成された場合、棚板50の上に載置した手荷物等を前方から取り出そうとしても、阻止部材90により前方からの取り出しが阻止される。この折りたたみ椅子10が前後に多数整列されている状態において、この折りたたみ椅子10を使用している後ろの人の荷物が、その折りたたみ椅子10の下部の棚板50の上に載置されるようなとき、棚板50の上に載置した荷物が前方に脱落することが防止されるとともに、その荷物が前方から盗まれることが防止され、安全性と防犯上の保安性が確保される。
【００１６】
（請求項６）
請求項６記載の発明は、上記した請求項１から５までのいずれか１項に記載の発明の特徴点に加え、次の点を特徴とする。すなわち、前記棚板50には、前記折りたたみ椅子10を使用可能状態とした際に前記メインフレーム30前方に突出する突出部100が形成されていることを特徴とする。
折りたたみ椅子10を使用可能状態とした際にメインフレーム30前方に突出する突出部100が棚板50に形成されている。このため、当該折りたたみ椅子10に座っている人が、その突出部100に足を置くことができる。すなわち、突出部100を足置きとして使用することができる。
【００１７】
（請求項７）
請求項７記載の発明は、請求項１から６までのいずれか１項に記載された折りたたみ椅子10に取付可能な棚板50である。
請求項１から６までのいずれか１項に記載された折りたたみ椅子10の棚板50として使用することができる。
【発明の効果】
【００１８】
本発明は、以上のように構成されているので、以下に記載されるような効果を奏する。
請求項１記載の発明によれば、棚板に物を載置することができるとともに、棚板を取り付けた状態のまま両脚部の下端を閉じることができ、さらにその状態で棚板が邪魔にならずに移動等の取扱いが容易となる上に省スペース化を図ることができる折りたたみ椅子を提供することができる。
請求項２記載の発明によれば、請求項１記載の発明の効果に加えて、棚板を折りたたむことができて、メインフレーム等の枠内の狭いスペースに棚板を収納することが可能な折りたたみ椅子を提供することができる。
【００１９】
請求項３記載の発明によれば、請求項２記載の発明の効果に加えて、折りたたみ椅子を折りたたむ際、スムーズに脚部の下端を閉じることができて、折りたたみ作業が簡単な折りたたみ椅子を提供することができる。
請求項４記載の発明によれば、請求項１から３までのいずれか１項に記載の発明の効果に加えて、両脚部の下端を開いた状態での剛性を高めることができ、大きな荷重に対しても変形や曲げを抑えることができ信頼性の高い、安定した座り心地の折りたたみ椅子を提供することができる。
請求項５記載の発明によれば、請求項１から４までのいずれか１項に記載の発明の効果に加えて、棚板の上に載置した荷物の脱落防止の対策となるとともに、その荷物が、後方又は前方から盗まれることが防止され、防犯上、安全な折りたたみ椅子を提供することができる。
【００２０】
請求項６記載の発明によれば、請求項１から５までのいずれか１項に記載の発明の効果に加えて、座っている人が足置きとして使用可能な突出部を有する折りたたみ椅子を提供することができる。
請求項７記載の発明によれば、請求項１から６までのいずれか１項に記載された折りたたみ椅子の棚板を提供することができる。
【図面の簡単な説明】
【００２１】
【図１】本発明の第１の実施の形態に係る折りたたみ椅子の外観斜視図である。
【図２】本発明の第１の実施の形態に係る折りたたみ椅子であって、両脚部の下端を閉じた状態の外観斜視図である。
【図３】本発明の第１の実施の形態に係る折りたたみ椅子であって、アーム部材を示す外観斜視図である。
【図４】本発明の第２の実施の形態に係る折りたたみ椅子であって、棚板の水平維持手段の側面図である。
【図５】本発明の第３の実施の形態に係る折りたたみ椅子であって、（ａ）両脚部の下端を開いた状態の水平維持手段の側面図、（ｂ）両脚部の下端を閉じた状態の水平維持手段の側面図である。
【図６】本発明の第５の実施の形態に係る折りたたみ椅子であって、（ａ）両脚部の下端を開いた状態の正面図、（ｂ）両脚部の下端を開いた状態の側面図、（ｃ）両脚部の下端を閉じた状態の側面図である。
【図７】本発明の第５の実施の形態に係る折りたたみ椅子であって、両脚部の下端を開いた状態の外観斜視図である。
【図８】本発明の第６の実施の形態に係る折りたたみ椅子であって、（ａ）両脚部の下端を開いた状態の正面図、（ｂ）両脚部の下端を開いた状態の側面図、（ｃ）両脚部の下端を閉じた状態の側面図である。
【図９】本発明の第７の実施の形態に係る折りたたみ椅子であって、メインフレーム及びサブフレームに棚板を取り付けた状態の横断面図である。
【図１０】本発明の第７の実施の形態に係る折りたたみ椅子であって、サブフレームにに軸取付部材により棚板を取り付けた状態の横断面図である。
【発明を実施するための形態】
【００２２】
（第１の実施の形態）
図１に示すように、本実施の第１の実施の形態に係る折りたたみ椅子10は、メインフレーム30、サブフレーム40及び座部110とを備えている。
前記メインフレーム30は、全体形状が略四角枠であって上部の一部が半球形（ドーム状）の一部からなる四角ドーム状に形成され、上部を背もたれとして使用し、下部を脚部20として使用するものである。なお、メインフレーム30は全体形状が四角枠状でもよい。
前記サブフレーム40は、逆門型に形成され、メインフレーム30の途中に上部両側が連結板130を介して軸支されるとともに、下部を脚部20として使用するものである。
【００２３】
前記座部110は、メインフレーム30及びサブフレーム40に直接又は支持板116を介して軸支する座部軸支部111により軸支されているものである。この座部軸支部111は、メインフレーム30で座部110を直接、軸支するメイン座部軸支部112と、サブフレーム40で座部110を支持板116（具体的にはサブ支持板117）を介して軸支するサブ座部軸支部113とからなる。
前記座部110は、メインフレーム30のメイン座部軸支部112で軸支されるとともに、サブフレーム40のサブ座部軸支部113でサブ支持板117を介して軸支されている四角枠状の座部フレーム114と、この座部フレーム114の四角枠を覆うとともに、人が座るための座板120とを有している。
【００２４】
この折りたたみ椅子10は、両脚部20の下端を開いた状態とすることで椅子として使用可能な状態とし、脚部20の下端を閉じることで椅子を折りたたんだ状態とする折りたたみ可能なものである。
本実施の形態に係る折りたたみ椅子10は、メインフレーム30のメイン座部軸支部112より下方側に軸支されるとともに、サブフレーム40のサブ座部軸支部113より下方側に軸支される棚板50を備えている。折りたたみ椅子10を折りたたんだ状態とした際には、棚板50は、棚板50自身が折りたたまれることでメインフレーム30及びサブフレーム40の枠内に位置するように形成されているものである（図２参照）。また、折りたたみ椅子10の両脚部20の下端を開いて折りたたみ椅子10を使用可能な状態とした際には、棚板50は座部110の下方でメインフレーム30及びサブフレーム40の間に懸架されて物を載置可能な棚として使用可能に形成されているものである。
【００２５】
以下に、各構成について具体的に説明する。
前記メインフレーム30、サブフレーム40及び座部フレーム114は、金属からなる円筒状パイプを折り曲げることにより枠状又は逆門状に形成されている。
前記メインフレーム30の上部には、この折りたたみ椅子10に座った人が背もたれとして使用する背もたれ部140が形成されている。この背もたれ部140は、折りたたみ椅子10を正面から見たときのメインフレーム30の上部の左右間に渡された背もたれ板150からなる。この背もたれ板150の表面は、ビニール皮で覆われ、その内部にはクッション材として使用される弾性部材としての合成樹脂からなるスポンジが詰められている。前記背もたれ板150の上部とメインフレーム30との間には、前後に開口する持ち手開口部151が形成されている。この持ち手開口部151は、当該折りたたみ椅子10を持ち上げる際に手の指を差し込んで当該折りたたみ椅子10の持ち上げを容易にするものである。
【００２６】
なお、ここで、本明細書中の説明において方向の基準が特に示されていない場合、前方向は、折りたたみ椅子10の両脚部20の下端を開いて使用可能な状態とした際に、サブフレーム40の脚部20の下端からメインフレーム30の脚部20の下端へ向かう方向を「前方向」とし、その反対方向を「後方向」とする。また、「左方向」や「右方向」等の左右方向も、折りたたみ椅子10の前方向から折りたたみ椅子10の方を向いている人から見た場合の左方向や、右方向を意味する。
前記サブフレーム40の門型上端には、ゴム部材からなる当接キャップ42が被せられている。この当接キャップ42は、メインフレーム30及びサブフレーム40の脚部20の下端を開いた状態の際、メインフレーム30の途中の背面側に当接するものである。
【００２７】
前記連結板130は、短尺状の細帯板状であって、一端がメインフレーム30の途中にメイン連結軸132を介して軸支され、他端がサブフレーム40の上端付近にサブ連結軸133を介して軸支されている。メインフレーム30のメイン連結軸132の下側には、座部フレーム114とメインフレーム30とを軸支するメイン支持軸119が形成されている。また、サブフレーム40のサブ連結軸133の下側には、座部フレーム114とサブフレーム40とを軸支するサブ支持軸118が形成されている。このメイン連結軸132と、サブ連結軸133と、メイン支持軸119と、サブ支持軸118とにより、リンク機構を形成しているものである。
前記座板120の表面はビニールで覆われ、その内部にはクッション材として使用される弾性部材としての合成樹脂からなるスポンジが詰められている。
【００２８】
前記棚板50には、メインフレーム30に軸支される棚板メイン軸51と、サブフレーム40に軸支される棚板サブ軸52とが形成されている。棚板メイン軸51は、水平状態（開いた状態）の棚板50の前端よりやや後方側の左右両側にそれぞれ形成され、棚板サブ軸52は、水平状態の棚板50の後端の左右両側にそれぞれ形成されている。棚板50は、棚板メイン軸51と棚板サブ軸52との間で前後２つに分割されている。具体的には、棚板50は、水平状態の棚板50の前側略半分のメイン側棚板部53と、水平状態の棚板50の後側略半分のサブ側棚板部54とから形成されている。この２つに分割された棚板50同士、すなわちメイン側棚板部53とサブ側棚板部54との継ぎ目55の部分には、メイン側棚板部53とサブ側棚板部54とを回動可能に軸支するヒンジからなる折れ曲がり可能部60が形成されている。なお折れ曲がり可能部60は、棚板メイン軸51と棚板サブ軸52との間の距離の中央よりも棚板メイン軸51側寄りに位置している。これは、メインフレーム30及びサブフレーム40の両脚部20の下端を閉じる際、連結板130のリンク機構により、サブフレーム40が下方側へ移動することによる。すなわち、リンク機構によりサブフレーム40が前記下方側へ移動するため、メイン支持軸119と折れ曲がり可能部60との距離よりもサブ支持軸118と折れ曲がり可能部60との距離が長く形成されている。
【００２９】
そして、棚板50には、折れ曲がり可能部60から上方に向かって折れ曲がる折れ曲がり可能手段70が形成されている。この折れ曲がり可能手段70は、メインフレーム30及びサブフレーム40の脚部20の下端を閉じる際、折れ曲がり可能部60が上方に向かって折れ曲がるように付勢する渦巻きばね（図示せず）からなる付勢手段80が形成されている。なお、この渦巻きばねは、特に図示していないが、折れ曲がり可能部60のヒンジの回転中心軸の回りに巻き付くように形成されている。折れ曲がり可能手段70は、渦巻きバネからなる付勢手段80に限定されるものではなく、折れ曲がり可能部60を上方に移動させてメイン側棚板部53とサブ側棚板部54とを閉じる方向に付勢する力を付与するものであれば、板ばね、ゴム、スプリング等の他の弾性材を用いてもよい。
【００３０】
前記サブ側棚板部54のサブフレーム40側には、棚板サブ軸52の上方のサブフレーム40からサブ側棚板部54に連結されているアーム部材160が形成されている。このアーム部材160は、２部材からなり、一端がサブフレーム40のサブアーム軸162に回動可能に軸支されたサブ側アーム165と、他端がサブ側棚板部54の棚板アーム軸161に回動可能に軸支された棚板側アーム166とを有している（図３参照）。サブ側アーム165と棚板側アーム166とは、サブアーム軸162と棚板アーム軸161との略中央のアーム回動軸163で軸支されている。このアーム回動軸163は、図１に示す棚板50を開いた状態におけるサブアーム軸162と棚板アーム軸161との間の距離がそれ以上長くならないように（折れ曲がり可能部60が下方に移動しないように）サブ側棚板部54の回動を制限して棚板50の水平状態を維持する水平維持手段164が形成されている（図３参照）。
【００３１】
棚板50は、一端がメインフレーム30に軸支され、他端がサブフレーム40に軸支されることでサブフレーム40とメインフレーム30との間を拘束している。これにより、棚板50は折りたたみ椅子10における構造体として機能している。
折りたたみ椅子10を使用可能な状態とした際の棚板50から上方に相当する位置の後方側のサブフレーム40間には、棚板50においた物品の後方からの取り出しを阻止するとともに棚板50に置いた物品が後方側に落下するのを阻止する阻止部材90が形成されている。この阻止部材90は、有色の樹脂板から形成されている。なお、阻止部材90の取付位置はこれに限定されるものではない。たとえば折りたたみ椅子10を使用可能な状態とした際の棚板50から上方に相当する位置の前方側のメインフレーム30に棚板50に置いた物品の前方からの取り出しを阻止するとともに棚板50に置いた物品の前方側への落下を防止する阻止部材90が形成されるようにしてもよい。これは、椅子に座っている人が、自分の荷物を自分の前に座っている人の折りたたみ椅子10の棚板50に載置するような会場等に使用する折りたたみ椅子10に対応することができる。
【００３２】
前記棚板50には、折りたたみ椅子10を使用可能状態とした際にメインフレーム30前方に突出する突出部100が形成されている。
図２に示すように、折りたたみ椅子10を折りたたんだ状態とした際には、棚板50は折れ曲がり可能部60から上方に向かって折れ曲がって折りたたまれることでメインフレーム30及びサブフレーム40の枠内に位置するように形成されている。
図３に示すように、アーム部材160の水平維持手段164は、棚板側アーム166の上端からサブ側アーム165の上端側に向かって延びる回動阻止片167からなるものである。サブ側アーム165と棚板側アーム166とが図３の白矢印のように開いた状態で、回動阻止片167の下端が、サブ側アーム165の上端面に当接することにより、図３の白矢印以上にサブ側アーム165と棚板側アーム166とが開かず、サブ側棚板部54のそれ以上の回動が阻止される。これにより、サブ側棚板部54とメイン側棚板部53との水平状態が維持される。もちろん水平維持手段164はこれに限定されることなく、メイン側棚板部53とサブ側棚板部54との水平状態を維持することができるものであれば、他の形態のものであってもよい。
【００３３】
（作用及び効果）
本実施の形態に係る折りたたみ椅子10は、折りたたみ椅子10の座部110の下方に物を載置することができる棚板50が形成される。これにより、バッグ等の手荷物やコート等の衣類等を棚板50の上に置くことができ、手荷物等が床に置いて汚れることなく、また足下のスペースを確保することができる。
この折りたたみ椅子10の両脚部20の下端を閉じて折りたたんだ状態とした際には、棚板50は折りたためられることでメインフレーム30及びサブフレーム40の枠内に位置する。これにより、両脚部20を折りたたんだ状態において、棚板50を前記枠内に収納することができる。なお、棚板50がメインフレーム30及びサブフレーム40のいずれか一方の枠内に収納されるように形成してもよい。
【００３４】
この折りたたみ椅子10を使用可能状態とした際には、棚板50は、座部110の下方でメインフレーム30及びサブフレーム40の間に懸架されて棚として使用することができる。これにより、折りたたみ椅子10の両脚部20を折りたたむ前後で棚板50を取り外したり、取り付けたりする等の手間が不要である。
また、棚板50は、折りたたみ椅子10を折りたたんだ状態で、メインフレーム30又はサブフレーム40の枠内に収納されている。この枠内のスペースが棚板50の収納スペースとして利用されているため、折りたたみ椅子10を折りたたんで片付ける際の移動や並べて収納する際にも棚板50が邪魔になることがなく、そのような片付けの際の移動等の作業を容易にすることができる。棚板50を有するにも拘わらず折りたたんだ折りたたみ椅子を倉庫等に並べて収納する際には従来と同様のスペースで済み、スペースの有効利用を図ることができる。
【００３５】
棚板50は折れ曲がり可能手段70により折れ曲がり可能部60から上方に向かって折りたたまれる。これにより、メインフレーム30又はサブフレーム40の枠内が棚板50の大きさに比べて狭いスペースであっても、そのような枠内の狭いスペースに棚板50を収納することが可能となる。
脚部20の下端を閉じる際、付勢手段80により、折れ曲がり可能部60が上方に向かって折れ曲がる。これにより、折りたたみ椅子10を折りたたむ際、手で棚板50に触れることなく、棚板50を折りたため、スムーズに脚部20の下端を閉じることができる。具体的には、持ち手開口部151に手を差し込んで折りたたみ椅子10を上方に持ち上げて、脚部20を床の接触による拘束状態から自由な状態にするだけで、付勢手段80の付勢力と、メインフレーム30及びサブフレーム40の自重とにより、棚板50は折れ曲がり可能部60から上方に向かって折れ曲がるとともに、両脚部20の下端は自然に閉じる。これにより、折りたたみ椅子10の折りたたみ作業を簡単なものにすることができる。
【００３６】
棚板50がサブフレーム40とメインフレーム30との間の構造体として機能する。すなわち、棚板50が、両脚部20を開いた状態のサブフレーム40及びメインフレーム30との間を連結する補強部材としての役割を有する。これにより、開いた状態の折りたたみ椅子10の剛性を高めることができ、大きな荷重に対しても変形や曲げを抑えることができ信頼性の高い折りたたみ椅子10にすることができるとともに、安定した座り心地を提供することができる。
折りたたみ椅子10を使用可能な状態とした際の棚板50から上方に相当する位置のサブフレーム40に阻止部材90が形成されているため、棚板50の上に載置した手荷物等を他人が後方から取り出そうとしても、阻止部材90によりかかる後方からの取り出しが阻止される。この折りたたみ椅子10を使用している人の荷物を、当該折りたたみ椅子10の下部の棚板50の上に載置するようなとき、棚板50の上に載置した荷物が、後方から盗まれることが防止され、防犯上の保安性が確保される。また、阻止部材90があることにより、棚板50の上に載置した手荷物等が後方から床に落ちてしまうことを阻止することができる。これにより、棚板50上の手荷物を後方に落下させることなく、阻止部材90まで他種類の手荷物を押し込むことができ、棚板50上の空間を制限一杯まで有効に荷物置きとして利用することが可能となる。
【００３７】
なお、折りたたみ椅子10を使用可能な状態とした際の棚板50から上方に相当する位置のメインフレーム30に阻止部材90が形成されると、棚板50の上に載置した手荷物等を前方から取り出そうとしても、阻止部材90により前方からの取り出しが阻止される。この折りたたみ椅子10を使用している後ろの人の荷物が、その折りたたみ椅子10の下部の棚板50の上に載置されるようなとき、棚板50の上に載置した荷物が、前方から盗まれることが防止され、防犯上の保安性が確保される。
折りたたみ椅子10を使用可能状態とした際にメインフレーム30前方に突出する突出部100が棚板50に形成されている。このため、この折りたたみ椅子10に座っている人が、その突出部100に足を置くことができる。すなわち、突出部100を足置きとして使用することができる。
【００３８】
なお、本実施の形態に係る棚板50及び阻止部材90は、上述したものに限定されるものではない。板状のものや、多数の孔（パンチング孔）を設けた板状のものや、枠状の構造体の枠内に布等を張ったもの等でもよい。また、材質もとくに限定されるものではなく、金属部材、樹脂部材、繊維状の布部材、紐からなる網状部材等でもよい。
なお、阻止部材90は、布部材又は網状部材のものを、サブフレーム40の上部に軸を設けて、その軸に渦巻きばねを用いた巻き取り式のものにしてもよい。その際、巻き取り式の軸から引き出した布等の先端をサブフレーム40の棚板サブ軸52に固定すれば、引き出した布等は阻止部材90として使用できる。さらに巻き取り式の軸から引き出した布等の先端をサブフレーム40の棚板サブ軸52を経由してメインフレーム30の棚板メイン軸51に固定することにより、その布等を阻止部材90及び棚板50として使用することができる。
【００３９】
（第２の実施の形態）
図４に示すように、本実施の形態に係る折りたたみ椅子10の棚板50の水平維持手段164は、サブ側棚板部54とメイン側棚板部53との間の折れ曲がり可能部60付近の上部において、サブ側棚板部54からメイン側棚板部53の上端面に向かって突出してメイン側棚板部53の上端面に当接する上部規制片200が形成されているものである。サブ側棚板部54と一体となっている上部規制片200が、メイン側棚板部53の上面に当接することで、図４に示す白矢印以上にメイン側棚板部53とサブ側棚板部54とが回動しない（開かない）。これにより、折れ曲がり可能部60が下方に向かって移動して、棚板50が下方に向かって折れ曲がることが制限される。結果として、メイン側棚板部53とサブ側棚板部54とが図４に示すような水平状態を維持することができる。
【００４０】
（第３の実施の形態）
図５に示すように、本実施の形態に係る折りたたみ椅子10の棚板50の水平維持手段164は、棚板50の左右両側端であってサブ側棚板部54とメイン側棚板部53との間の継ぎ目55の折れ曲がり可能部60のヒンジの回転軸に軸支されている直接床支持部250を有しているものである。図５（ａ）に示すように直接床支持部250は全体形状が帯板状であって、その長尺方向の長さは、水平状態の棚板50の折れ曲がり可能部60から床面500までの長さと一致している。図５（ａ）に示すように直接床支持部250の上部には、棚板50の左右両端から中央側方向（図５（ａ）の図面の垂直奥方向）に向かって突出するとともに、図５（ａ）のサブ側棚板部54の上面側に向かって突出する側方突部251が形成されている。また、図５（ａ）に示すように直接床支持部250の下部には、棚板50の左右両端から中央側方向（図５（ａ）の図面の垂直奥方向）に向かって突出する側方折れ曲がり部252が形成されている。直接床支持部250と折れ曲がり可能部60との回動軸には、直接床支持部250を図５（ａ）の白矢印方向に付勢するばね253が形成されている。
【００４１】
この側方突部251が形成されていることにより、サブ側棚板部54とメイン側棚板部53とが水平状態になると、図５（ａ）に示すように側方突部251の下面がサブ側棚板部54の上面に当接することで、サブ側棚板部54と直接床支持部250とが直角に維持される。この状態で直接床支持部250の下部が床面500に当接し、折れ曲がり可能部60が下方に向かって折れ曲がることが制限される。
図５（ｂ）に示すように脚部20が閉じられて棚板50の側方折れ曲がり部252が上方に向かって折れ曲がると、メイン側棚板部53の下面側が側方折れ曲がり部252に当接して、ばね253の付勢力に抗して直接床支持部250の下部をメイン側棚板部53とサブ側棚板部54との間に位置させる。
【００４２】
これにより、メイン側棚板部53とサブ側棚板部54との水平状態が維持される。
（第４の実施の形態）
特に図示しないが、本実施の形態に係る折りたたみ椅子10の棚板50の水平維持手段164は、棚板50の左右両側において、折れ曲がり可能部60とサブ側アーム165のサブ支持軸118との間をチェーンや紐等の紐状部材で連結するものである。その紐状部材の長さは、両脚部20の下端を開いた状態の際の折れ曲がり可能部60とサブ支持軸118との間の距離に一致するように形成されている。これにより、その長さ以上に折れ曲がり可能部60が下方に向かって折れ曲がることが制限され、メイン側棚板部53とサブ側棚板部54との水平状態が維持される。
【００４３】
（第５の実施の形態）
図６及び図７に示すように、本実施の形態に係る折りたたみ椅子10は、棚板50が一枚の板状の部材からなるものである。本実施の形態に係る棚板50は、一端がサブフレーム40に軸支されて揺動するとともに、他端側がメインフレーム30に支持される揺動棚板310からなるものである。サブフレーム40の両側下部には、左右方向の内側に向かって突出する金属からなる円柱状の揺動軸320が形成されている。メインフレーム30の両側下部には、左右方向の内側に向かって突出する円柱状の金属からなる揺動支持軸330が形成されている。また、サブフレーム40の両側下部には、左右方向の内方向に向かって突出する円柱状の金属からなる揺動固定軸340が形成されている。
【００４４】
揺動棚板310の一端がサブフレーム40の揺動軸320に軸支され、揺動棚板310の他端がメインフレーム30の揺動支持軸330に支持されている。なお、揺動棚板310の一端がメインフレーム30側に軸支され、揺動棚板310の他端がサブフレーム40側に支持されるようにしてもよい。
図６（ｃ）に示すように折りたたみ椅子10を折りたたんだ状態とした際には、揺動棚板310は上方に揺動することでサブフレーム40の枠内に位置するように形成されている。なお、メインフレーム30側に揺動軸320を設ける場合には、メインフレーム30に揺動固定軸340が設けられ、揺動棚板310はメインフレーム30の枠内に位置するように形成される。
【００４５】
図６（ａ）（ｂ）及び図７に示すように前記折りたたみ椅子10は、折りたたみ椅子10を使用可能な状態とした際には、揺動棚板310は座部110の下方でメインフレーム30の揺動支持軸330とサブフレーム40の揺動軸320との間に懸架されて棚として使用可能に形成されるものである。
揺動棚板310の揺動させる自由端側には、水平状態にした際の下方側に向かって開口する断面凹溝状の支持凹部360が左右方向にわたって形成されている。揺動棚板310を倒した際、この支持凹部360の内部にメインフレーム30の揺動支持軸330が入り込んで、揺動棚板310の揺動する自由端側が支持される。
【００４６】
揺動棚板310の自由端側の支持凹部360の揺動軸320側には、水平状態にした際の上方側に向かって開口する断面凹溝状の固定凹部350が左右方向にわたって形成されている。揺動棚板310をサブフレーム40側に立てた際、この固定凹部350の内部にサブフレーム40の揺動固定軸340が入り込んで、揺動棚板310の自由端側が固定される。
その他の構成は、第１の実施の形態と同様であって同様の作用及び効果を奏するものである。
（第６の実施の形態）
図８に示すように、本実施の形態に係る折りたたみ椅子10は、第５の実施の形態の折りたたみ椅子10の棚板50において、折りたたみ椅子10を使用可能状態とした際にメインフレーム30の前方に段差状に突出する段差状突出部370が形成されていることを特徴とするものである。この段差状突出部370は、前記前方側に向かって縦断面が下方に向かってクランク状に折れ曲がる段差状に形成されている。これにより、段差状突出部370が床面に近いところに形成され、足置きとして使用する場合、足のかかとを置いて安定した楽な姿勢をとることができる。特に子供やお年寄りに適したものとなる。また、段差状突出部370が床面に近く形成されているため、足置きとして使用しない場合にも特段の邪魔になることが無い。
【００４７】
その他の構成や作用及び効果は、第５の実施の形態と同様である。
（第７の実施の形態）
第１〜第６の実施の形態は、折りたたみ椅子10と棚板50とは予め同時に製造されているものであったが、本実施の形態は、棚板50を有してない折りたたみ椅子10に後から棚板50を取付可能なものである。図９及び図１０に示すように、本実施の形態に係る折りたたみ椅子10は、第５及び第６の実施の形態で用いた棚板50と略同様の取付揺動棚板450と、この取付揺動棚板450をサブフレーム40の下部に回動可能に軸支するための取付軸400と、取付揺動棚板450を水平状態にした際、取付揺動棚板450をメインフレーム30の下部に支持する取付支持軸410と、取付揺動棚板450を立てた状態の際、取付揺動棚板450の自由端側をサブフレーム40の上部に仮固定するための取付固定軸（図示せず）と、これらの軸をメインフレーム30又はサブフレーム40に取り付けるための軸取付部材420とを備えているものである。
【００４８】
取付揺動棚板450のサブフレーム40側には、取付軸400を差し込み可能な貫通軸510が形成されている。取付揺動棚板450のメインフレーム30側の自由端側には、第５及び第６の実施の形態で説明した揺動棚板310と略同様の固定凹部350及び支持凹部360が形成されている。本実施の形態では、取付揺動棚板450をサブフレーム40側に立てた状態の際、サブフレーム40の上部の取付固定軸（図示せず）に固定凹部350が嵌り込んで固定される。また、取付揺動棚板450をメインフレーム30側に倒して水平状態にした際、メインフレーム30の下部の取付支持軸410に支持凹部360が入り込んで支持される。
軸取付部材420は、円筒状のものを縦方向に半分に切断したような形状の外側軸取付部材422と内側軸取付部材421とを有している。外側軸取付部材422は、折りたたみ椅子10の外側に配置されるものであり、内側軸取付部材421は折りたたみ椅子10の内側に配置されるものである。内側軸取付部材421の前端及び後端には、外方に向かって突出する内側係合片431が形成され、外側軸取付部材422の前端及び後端にも、外方に向かって突出する外側係合片432が形成されている。この内側係合片431及び外側係合片432には、締結部材440を通すことが可能な孔が形成されている。メインフレーム30又はサブフレーム40を内部に挟み込んで、内側係合片431及び外側係合片432を合わせた状態で前記孔にネジ及びナット等の締結部材440を通して締結させることによりメインフレーム30又はサブフレーム40の高さ方向の途中に固定することができる。
【００４９】
内側軸取付部材421の中央には、取付軸400、取付支持軸410及び取付固定軸（図示せず）の各軸の先端をねじ込み可能な孔520が形成されている。内側軸取付部材421に各軸をねじ込んでメインフレーム30又はサブフレーム40に外側軸取付部材422とともに締結部材440で固定することにより、メインフレーム30又はサブフレーム40の途中に取付軸400、取付支持軸410、及び取付固定軸を固定することができる。
本実施の形態では、棚板50を設けていない既に製造された折りたたみ椅子10に、後付で棚板50を形成することができる。
【符号の説明】
【００５０】
10  折りたたみ椅子                      20  脚部
30  メインフレーム                      31  メイン脚部
40  サブフレーム                        41  サブ脚部
42  当接キャップ                        50  棚板
51  棚板メイン軸                        52  棚板サブ軸
53  メイン側棚板部                      54  サブ側棚板部
55  継ぎ目                              60  折れ曲がり可能部
70  折れ曲がり可能手段                  71  渦巻きばね
80  付勢手段                            90  阻止部材
100  突出部                            110  座部
111  座部軸支部                        112  メイン座部軸支部
113  サブ座部軸支部                    114  座部フレーム
116  支持板                            117  サブ支持板
118  サブ支持軸                        119  メイン支持軸
120  座板                              130  連結板
131  連結軸                            132  メイン連結軸
133  サブ連結軸                        140  背もたれ部
150  背もたれ板                        151  持ち手開口部
160  アーム部材                        161  棚板アーム軸
162  サブアーム軸                      163  アーム回動軸
164  水平維持手段                      165  サブ側アーム
166  棚板側アーム                      167  回動阻止片
200  上部規制片                        250  直接床支持部
251  側方突部                          252  側方折れ曲がり部
253  ばね                              310  揺動棚板
320  揺動軸                            330  揺動支持軸
340  揺動固定軸                        350  固定凹部
360  支持凹部                          370  段差状突出部
400  取付軸                            410  取付支持軸
420  軸取付部材                        421  内側軸取付部材
422  外側軸取付部材                    431  内側係合片
432  外側係合片                        440  締結部材
450  取付揺動棚板                      500  床面
510  貫通軸                            520  孔
【図１】
2013116278.tif 000003
【図２】
2013116278.tif 000004
【図３】
2013116278.tif 000005
【図４】
2013116278.tif 000006
【図５】
2013116278.tif 000007
【図６】
2013116278.tif 000008
【図７】
2013116278.tif 000009
【図８】
2013116278.tif 000010
【図９】
2013116278.tif 000011
【図１０】
2013116278.tif 000012